(57)【要約】【課題】室内の温熱環境を乱すことなく十分な換気量を確保することができると共に、暖房機能の低下を防止することができ、また、省エネに寄与し得る住宅用熱交換換気システムを提供することを課題とする。【解決手段】ファン４を配備した排気用経路２とファン４を配備しない給気用経路３とを設け、排気用経路２側は強制排気とする一方、給気用経路３側は自然給気として室内給気を給気用経路３に集中させ、排気用経路２と給気用経路３とを熱交換器６に通すことで、排気用空気と給気用空気との間で熱交換させ、以て、温められた空気が室内に自然給気されるようにした。【選択図】図１
2016090074.tif 000002
【特許請求の範囲】
【請求項１】
ファンを配備した排気用経路とファンを配備しない給気用経路とを設け、前記排気用経路側は強制排気とする一方、前記給気用経路側は自然給気として室内給気を前記給気用経路に集中させ、前記排気用経路と前記給気用経路とを熱交換器に通すことで、排気用空気と給気用空気との間で熱交換させ、以て、温められた空気が室内に自然給気されるようにしたことを特徴とする熱交換換気システム。
【請求項２】
前記熱交換器は、前記排気用経路のファンを含む換気装置本体内に配置される、請求項１に記載の熱交換換気システム。
【請求項３】
前記熱交換器は、前記排気用経路のファンを含む換気装置本体の外側面又は前記換気装置本体から距離を置いた位置に配置される、請求項１に記載の熱交換換気システム。
【請求項４】
前記換気装置本体内には前記排気用経路のみが引き込まれる、請求項３に記載の熱交換換気システム。
【発明の詳細な説明】
【技術分野】
【０００１】
本発明は、住宅用熱交換換気システムに関するものであり、より詳細には、排気側と給気側とで熱交換を行わせることで、室内の吸排気を室内の温熱環境を乱すことなく効率よく行うことを可能にする、一般住宅用の熱交換換気システムに関するものである。
【背景技術】
【０００２】
一般住宅用の機械換気システムには、給気側と排気側の双方にファンを使用し、強制的に給排気する第１種換気システムと、給気にファンを使用して強制給気をし、排気は自然換気とする第２種換気システムと、給気は自然給気で、排気にファンを使用して強制排気する第３種換気システムの３種類がある。
【０００３】
上記換気システムのうち第１種換気システムは、給気側と排気側の双方にファンを用いるため、換気ユニット内において排気側空気の熱を給気側空気に移す（熱交換）ことが可能なシステムとすることができる反面、給気用のファンと排気用のファンのそれぞれが必要となるところから、第２種換気システムや第３種換気システムと比較してコスト高となっていた。従って、このコスト面の点から、現在義務付けられている２４時間換気システムにおいては、第３種換気システムが主流となっている。
【０００４】
ところで近年、住宅に要する暖冷房費の節減及び壁内結露を防止して、住宅の耐久性を高めることを目的に、住宅の気密性能の増大が図られており、住宅の気密度合いの指標である相当隙間面積において、０．５ｃｍ２／ｍ２よりも少ない隙間の住宅も建築されるようになってきている。
【０００５】
前述の気密性能の高い住宅においては、住宅の隙間が少ないため、第３種換気システムにおいて取り付けられる給気口から導入される空気量の割合が、隙間から給気される量の割合に比べて大きくなる。即ち、住宅の隙間が減少するにつれて、給気口から入ってくる空気の量の割合は増大することになる。
【先行技術文献】
【特許文献】
【０００６】
【特許文献１】特開２０１１−５２９１８号公報
【特許文献２】特開２０１２−２２９８８９号公報
【発明の概要】
【発明が解決しようとする課題】
【０００７】
上述したように、最近の住宅は気密性が向上してきており、第３種換気システムの場合は、住宅の隙間から入ってくる給気量に比べて外壁面などに設けられた給気口から入ってくる給気量の割合が多くなる傾向にある。また、第１種換気システムにおいては、給気側と排気側それぞれにファンを設ける必要があるために、第３種換気システムに比べてコスト高となり、また、消費エネルギーが大となる問題がある。
【０００８】
そこで本発明は、排気側にのみファンを用い、給気は自然給気とする第３種換気システムにおいて、給気は自然給気とし、外気を排気との間で熱交換してから室内に供給することを可能にし、以て、室内の温熱環境を乱すことなく十分な換気量を確保することができると共に、暖房機能の低下を防止することができ、また、省エネに寄与し得る住宅用熱交換換気システムを提供することを課題とする。
【課題を解決するための手段】
【０００９】
上記課題を解決するための請求項１に係る発明は、ファンを配備した排気用経路とファンを配備しない給気用経路とを設け、前記排気用経路側は強制排気とする一方、前記給気用経路側は自然給気として室内給気を前記給気用経路に集中させ、前記排気用経路と前記給気用経路とを熱交換器に通すことで、排気用空気と給気用空気との間で熱交換させ、以て、温められた空気が室内に自然給気されるようにしたことを特徴とする熱交換換気システムである。
【００１０】
一実施形態においては、前記熱交換器は、前記排気用経路のファンを含む換気装置本体内に配置され、他の実施形態においては、前記熱交換器は、前記排気用経路のファンを含む換気装置本体の外側面又は前記換気装置本体から距離を置いた位置に配置される。後者においては、前記換気装置本体内には前記排気用経路のみが引き込まれる場合がある。
【発明の効果】
【００１１】
本発明は上記のとおりであって、本システムは、第１種換気システムの配管方法を採用しつつ、ファンを排気側にのみ配備するという、実質的には第３種換気システムの形態を採るものであり、排気にのみファンを用い、給気は自然給気とするため、第１種型換気システムの場合に比較して消費エネルギーはほぼ２分の１となってコストを抑えることができる効果がある。
【００１２】
また、外気を排気との間で熱交換してから室内に給気するため、室内の温熱環境が乱されることがなく、以て、暖房機能の低下を防止することが可能となる効果がある。
【図面の簡単な説明】
【００１３】
【図１】本発明に係る熱交換換気システムの一実施形態の構成を示す概略図である。
【図２】本発明に係る熱交換換気システムの他の実施形態の構成を示す概略図である。
【図３】本発明に係る熱交換換気システムの更に他の実施形態の構成を示す概略図である。
【図４】本発明に係る熱交換換気システムにおける熱交換器の構成例を示す概略図である。
【発明を実施するための形態】
【００１４】
本発明を実施するための形態について、添付図面に依拠して説明する。本発明に係る熱交換換気システムは、第１種換気システムにおける配管方法でありながら、実質的には第三種換気システムの構成となるものである。即ち、本システムは、ファン４を配備した排気用経路２とファン４を配備しない給気用経路３とを設け、排気用経路２側は強制排気とする一方、給気用経路３側は自然給気として室内給気を給気用経路３に集中させ、排気用経路２と給気用経路３とを熱交換器６に通すことで、排気用空気と給気用空気との間で熱交換させ、以て、温められた空気が室内に自然給気されるようにしたことを特徴とするものである。
【００１５】
図１に示される実施形態においては、換気装置本体１内に排気用経路２と給気用経路３とが導入され、排気用経路２にのみファン４が設置され、また、熱交換器６が換気装置本体１内に配備される。
【００１６】
また、図２に示される実施形態においては、換気装置本体１内に排気用経路２と給気用経路３とが導入されて、排気用経路２にファン４が設置されるが、熱交換器６は換気装置本体１外、即ち、換気装置本体１の外側面又は換気装置本体１から距離を置いた位置に配置される。更に、図３に示される実施形態においては、換気装置本体１内には排気用経路２のみが導入されてファン４が設置される、給気用経路３と熱交換器６は換気装置本体１外に配置される。
【００１７】
熱交換器６としては、任意の構成のものを用いることができ、例えば、図４に示すよな、平坦な排気用通気路と給気用通気路とを複数交互に、且つ、前記排気用通気路と給気用通気路の通気方向が直交するように積層したものを用いることができる。
【００１８】
以上いずれの実施形態においても、本発明に係るシステムの場合は、ファン４は排気用経路２に１台配設されるだけであるため、ファンを２台用いる第１種換気システムの場合に比較して、消費エネルギー及びコストが半減し、また、その分メンテナンスの手間が省けることになる。
【００１９】
また、排気用経路２と給気用経路３とが熱交換器６内に通され、そこにおいて外気取入口５から給気用経路３内に流入する冷たい空気が、室内に自然給気される前に、排気用経路２内の温かい空気で温められる。かくして、室内に冷えた外気が導入されることによって、暖房機能が低下することがなくなる。
【００２０】
上記構成の本発明に係る熱交換換気システムの場合、室内の汚れた空気は、排気用ファン４の作用で、排気用経路２を通って排気フード７から室外に強制排気される。そして、この強制排気に伴って室内が負圧化することで、外気取入口５から外気が自然流入し、給気用経路３を通って室内グリルから室内に自然給気される。その際、上述したように、排気用経路２と給気用経路３とが熱交換器６に通されることで熱交換が行われ、以て、室内に冷えた外気が導入されることがなくなり、暖房機能が低下する事態の発生が回避される。
【００２１】
この発明をある程度詳細にその好ましい実施形態について説明してきたが、この発明の精神と範囲に反することなしに広範に異なる実施形態を構成することができることは明白である。従って、この発明は、添付請求の範囲において限定した以外はその特定の実施形態に制約されるものではない。
【符号の説明】
【００２２】
１    換気装置本体
２    排気用経路
３    給気用経路
４    ファン
５    外気取入口
６    熱交換器
７    排気フード
【図１】
2016090074.tif 000003
【図２】
2016090074.tif 000004
【図３】
2016090074.tif 000005
【図４】
2016090074.tif 000006